(57)【要約】【課題】  ポンプ式液体噴出器におけるシリンダ内壁面と、該シリンダ内へ嵌合された筒状ピストン外面との摩擦抵抗を軽減可能に形成した。【解決手段】  上記筒状ピストン11外面へ付形させた、シリンダ内壁面へ水密に接するシール部71へ、溝72ないし溝状に連続させて多数凹部73を周設して、それ等溝ないし凹部内へ潤滑剤74を塗布した。【選択図】  図２
2005095766.tif 000002
【特許請求の範囲】
【請求項１】
シリンダ内壁面へ水密に接するピストン外面のシール部71へ、溝72ないし溝状に連続させた多数凹部73を周設して、これ等溝ないし多数凹部内へ潤滑剤74を塗布した
ことを特徴とするポンプ式液体噴出器の筒状ピストン。
【請求項２】
内外二重シリンダ53,54 間へ嵌合させた筒状ピストン61の後方筒部内外面へ、シリンダ壁面へ水密に接するシール部71を付形し、これ等両シール部の内面と外面とへ溝72ないし溝状に連続させた多数凹部73を周設して、これ等溝ないし各多数の凹部内へ、潤滑剤74  を塗布した
ことを特徴とするポンプ式液体噴出器の筒状ピストン。
【発明の詳細な説明】
【技術分野】
【０００１】
本発明はポンプ式液体噴出器の筒状ピストンに関する。
【背景技術】
【０００２】
容器体への取付け用ポンプ式液体噴出器は、縦型ポンプ式とトリガー式とに大別されるが、特許文献１が示すようにトリガー操作で縦型ポンプを作動できるよう設けたものも知られている。
【０００３】
縦型ポンプ式は上記特許文献１にも示されているように、シリンダ内へ嵌合させた筒状ピストンからステムを起立し、該ステム上端へノズル付きヘッドを付設させてポンプを形成しており、又トリガー式は特許文献２が示すように、通常容器体取付け用装着筒から起立させた吸上げ筒上端から射出筒を前方突出すると共に吸上げ筒中間部から長短の二重シリンダを前方突出し、これ等両シリンダ間へ後筒部を嵌合させた、前面閉塞の筒状ピストン前端を、射出筒前部へ枢着させて垂下させたトリガーの上部後面へ係合させて、上記内方シリンダと筒状ピストン内へ張設させたコイルスプリングで筒状ピストンを前方付勢させ、トリガーの前後方向揺動で上記内外両シリンダ間が形成する加圧室内へ容器体内液体が吸入され、又該加圧室内が加圧されて該室内液体が射出筒前端のノズルから噴出するよう設けられている。
【０００４】
上記筒状ピストンには、シリンダ壁面との接触面へシール部が付設されており、該シール部がシリンダ壁面へ水密に接するよう設けられていて、そのシリンダ壁面に対してシール部を滑らかに摺動させるためシリコーンオイル等の潤滑剤を主としてシリンダ壁面へ塗布している。
【特許文献１】特開２００２−１１３８８号公報
【特許文献２】特開２００１−３１４７８７号公報
【発明の開示】
【発明が解決しようとする課題】
【０００５】
上記シリンダ壁面等に塗布された潤滑剤は、シリンダ内へ流入した噴出用液体によって溶け出したり、又流れ出したりすることがあり、そのためピストンの摺動がスムーズでなくなることがあった。
【０００６】
本発明は、シリンダ壁面へ水密に接するピストンシール部へ溝等を周設し、これ等溝等内へ潤滑剤を塗布してその潤滑剤が収納液により溶けたりすることがないよう設けたものである。
【課題を解決するための手段】
【０００７】
第１の手段としてシリンダ内壁面へ水密に接するピストン外面のシール部71へ、溝72ないし溝状に連続させた多数凹部73を周設して、これ等溝ないし多数凹部内へ潤滑剤74を塗布した。
【０００８】
第２の手段として内外二重シリンダ53,54 間へ嵌合させた筒状ピストン61の後方筒部内外面へ、シリンダ壁面へ水密に接するシール部71を付形し、これ等両シール部の内面と外面とへ溝72ないし溝状に連続させた多数凹部73を周設して、これ等溝ないし各多数の凹部内へ、潤滑剤74を塗布した。
【発明の効果】
【０００９】
請求項１および２記載のようにすることで、ピストンのシール部71はシリンダ壁面へ水密に接しているから、該シール部へ周設した溝72、ないし連続する凹部73内へ塗布された潤滑剤が直接にシリンダ内へ流入した収納液に触れることはなく、よってその収納液中に溶け出したり、又流れ出したりすることを防止でき、長く潤滑剤の機能を保持させることが出来る。特に請求項２項の場合は、筒状ピストン後方筒部の内外両面をシリンダ壁面との摺動面とするから、それ等両摺動面での摺動抵抗を軽減でき、その効果は大である。
【発明を実施するための最良の形態】
【００１０】
以下図１から図３が示す第１実施形態について説明する。該実施形態は、縦型ポンプ式液体噴出器を例示するもので、まず公知の部分について簡単に説明すると、１は上部外面に外向きフランジ２を有するシリンダで、その外向きフランジ外周を、容器体口頸部外面へ螺合させる装着筒３の上部内面へ周設した凹溝内へ着脱自在に嵌合させており、その外向きフランジ２は、容器体口頸部の上端面と、装着筒上端へ付設した内向きフランジ４とで挟持可能としている。
【００１１】
そのシリンダ内へは筒状ピストン11が嵌合させてあり、該筒状ピストンからステム12を起立させ、そのステム上端へノズル付き押下げヘッド13を嵌着させている。又そのステム12を挿通させて、シリンダ上端部へは抜止め筒21を嵌着させており、シリンダ内へ装着させたコイルスプリング22で上方付勢された筒状ピストン11は抜止め筒下端へ接して上方抜出しを防止されている。尚シリンダ下部内へは吸込み弁が、又ステム12の上部内へは吐出弁14が設けている。
【００１２】
図示状態から数回押下げヘッド13を上下動させておき、次いで押下げヘッドを押下げすると、シリンダ内液体は吐出弁14を通ってノズル15から噴出し、押下げヘッドを離せば上方付勢によるピストン上昇でシリンダ内が負圧化してシリンダ下端から垂下する吸上げパイプ７およびシリンダ下部内の吸込み弁を通って容器体内液体がシリンダ１内へ吸込まれる。
【００１３】
図５と図６とは第２実施形態を示す。該実施形態はトリガー式液体噴出器を示すもので、まず公知部分について簡単に説明すると、31は、容器体口頸部外面へ螺合させる装着筒で、該装着筒の上部内面からは、基筒部41を起立させ、該基筒部の頂板後部を貫設して吸上げ筒42を起立し、該吸上げ筒下部には吸込み弁43を、上部内には吐出弁44をそれぞれ設けている。
【００１４】
上記基筒部41の外面へは、ボデー51下面から垂下させた嵌合筒52を嵌合させており、該ボデーは上記吸上げ筒を嵌合させた、下面開口の深穴を有する。又該ボデーは、深穴前方下部に内外二重筒状にシリンダ53,54 を有し、これ等シリンダ上方に射出筒55を前方突出する。又内外シリンダ上部間後方には、記述吸上げ筒42内へ連通させて第１通液孔56を、射出筒内後方の吸上げ筒部分には第２通液孔57を、それぞれ穿設させている。
【００１５】
上記内外両シリンダ間へは前面閉塞の筒状ピストン61の後方筒部を嵌合させ、該ピストン前端を、射出筒前部へ枢着させて垂下するトリガー62の上部後面へ係合させ、既述内シリンダ53と筒状ピストン61内へ装着させたコイルスプリング63で、その筒状ピストンを前方付勢させる。
【００１６】
上記構成において、予め射出筒前端へ嵌合させたノズルキャップ64を回動させて射出筒孔とノズル孔とを連通させておき、又該連通状態で数回トリガーを操作した後にトリガーを引寄せ操作すると筒状ピストン61が後退し、両シリンダ間後部の加圧室内液体が吐出弁44と射出筒55内を通って該射出筒前端へ嵌合させたノズルキャップのノズル孔65から噴出し、又トリガー62を離すと、上記付勢で筒状ピストン61が前進することでの上記加圧室内負圧化で、吸上げ筒42から垂下する吸上げパイプおよび吸込み弁43を通って容器体内液体が加圧室内へ吸込みされる。
【００１７】
図７と図８とは第３実施形態を示す。該実施形態は、縦型ポンプ式液体噴出器のうち、公知の蓄圧式の液体噴出器を示す。該液体噴出器は、装着筒３内から容器体内へ垂下する小径シリンダ81と、押下げヘッド13内から垂下する大径シリンダ82とを有し、それ等大小両シリンダ内へ、上下両部外面および中間部外面に筒状ピストン83を付設した筒状プランジャ84を、下方および中間筒状ピストンは小径シリンダ81内へ、又上方筒状ピストンは大径シリンダ82内へ、それぞれ嵌合させ、小径シリンダ81下部内のコイルスプリング63で上方付勢させたもので、押下げヘッド13の下方押下げにより小径シリンダ81、筒状プランジャ84、大径シリンダ82が形成する加圧室内が高圧化すると、大小シリンダの径差で筒状プランジャ84が下降し、すると該筒状プランジャ上面から起立する吐出弁体85が吐出弁座86から離れ下降することで、加圧室内高圧液体がノズル孔65から噴出し、該高圧状態が解消すると、上記付勢で吐出弁が閉じ、続いて筒状プランジャ84および大径シリンダ82付き押下げヘッド13が上昇することでの上記加圧室内負圧化で吸込み弁43を通って容器体内液体が吸込みされるものである。
【００１８】
本発明にあっては、既述各実施形態が示すような各ポンプ式液体噴出器において、シリンダの内壁面ないし外壁面へ接するピストン壁面をシール部71となし、該シール部へ溝72ないし溝状に連続させた多数の凹部73を周設させ、それ等溝ないし凹部内へ、シリコーンオイル等の潤滑剤74を塗布した。
【００１９】
図３および図７は溝72を、図４は溝状に連続する多数の凹部73を示す。それ等溝ないし凹部はシリンダ壁面へシール部71が水密に接することで、シリンダ壁面により開口面が密封されるよう設けるものとする。尚既述実施形態において、筒状ピストンを含む主要部材はすべて合成樹脂製としている。
【図面の簡単な説明】
【００２０】
【図１】本発明の筒状ピストンを有する、縦型ポンプ式液体噴出器の断面図である。
【図２】図１要部の拡大断面図である。
【図３】図１が有する筒状ピストンの拡大側面図である。
【図４】図３筒状ピストンを変形例で示す側面図である。
【図５】第２実施形態で示す、本発明筒状ピストン付きトリガー式液体噴出器の断面図である。
【図６】図５要部の拡大断面図である。
【図７】第３実施形態で示す、本発明筒状ピストン付き蓄圧式液体噴出器の半断面図である。
【図８】図７一部の拡大側面図である。
【符号の説明】
【００２１】
１  シリンダ                        11  筒状ピストン
53  内シリンダ                      54  外シリンダ
71  シール部                        72  溝
73  凹部                            74  潤滑剤
【図１】
2005095766.tif 000003
【図２】
2005095766.tif 000004
【図３】
2005095766.tif 000005
【図４】
2005095766.tif 000006
【図５】
2005095766.tif 000007
【図６】
2005095766.tif 000008
【図７】
2005095766.tif 000009
【図８】
2005095766.tif 000010